【手続補正書】
【提出日】平成17年7月13日(2005.7.13)
【手続補正１】
【補正対象書類名】明細書
【補正対象項目名】発明の名称
【補正方法】変更
【補正の内容】
【発明の名称】表示装置及びそれを用いた電子機器
【手続補正２】
【補正対象書類名】明細書
【補正対象項目名】特許請求の範囲
【補正方法】変更
【補正の内容】
【特許請求の範囲】
【請求項１】
複数の画素と、複数のデータ線と、複数の走査線と、
前記複数のデータ線から選択されたｘ個のデータ線を介して、前記複数の画素から選択されたｘ個の画素に、映像信号を供給するｘ個のデータドライバ（ｘは４以上の自然数）と、
前記複数の走査線のうち、ｘ個の走査線を同時に選択するｙ個の走査ドライバ（ｙは１以上の自然数）を有し、
１列毎に、前記複数のデータ線のうち、ｘ個のデータ線が設けられ、
前記ｘ個のデータ線、前記ｘ個の画素、前記ｘ個のデータドライバ及び前記ｘ個の走査線の各々は、同数であることを特徴とする表示装置。
【請求項２】
複数の画素と、複数のデータ線と、複数の走査線と、
前記複数のデータ線から選択されたｘ個のデータ線を介して、前記複数の画素から選択されたｘ個の画素に、映像信号を供給するｘ個のデータドライバ（ｘは４以上の自然数）と、
前記複数の走査線のうち、ｘ個の走査線を同時に選択するｘ個の走査ドライバを有し、
１列毎に、前記複数のデータ線のうち、ｘ個のデータ線が設けられ、
前記ｘ個のデータ線、前記ｘ個の画素、前記ｘ個のデータドライバ、前記ｘ個の走査線及び前記ｘ個の走査ドライバの各々は、同数であることを特徴とする表示装置。
【請求項３】
複数の画素と、複数のデータ線と、複数の走査線と、
１行目から０．５ｍ行目までに配置され、かつ、偶数行目に配置された前記画素に、前記データ線を介して映像信号を供給する第１のデータドライバと、
１行目から０．５ｍ行目までに配置され、かつ、偶数行目に配置された前記画素に、前記データ線を介して映像信号を供給する第２のデータドライバと、
（０．５ｍ＋１）行目からｍ行目までに配置され、かつ、偶数行目に配置された前記画素に、前記データ線を介して映像信号を供給する第３のデータドライバと、
（０．５ｍ＋１）行目からｍ行目までに配置され、かつ、奇数行目に配置された前記画素に、前記データ線を介して映像信号を供給する第４のデータドライバと、
１行目から０．５ｍ行目までに配置された前記走査線を制御する第１の走査ドライバと、
（０．５ｍ＋１）行目からｍ行目までに配置された前記走査線を制御する第２の走査ドライバを有し、
１列毎に、前記複数のデータ線のうち、２つのデータ線が設けられていることを特徴とする表示装置。
【請求項４】
複数の画素と、複数のデータ線と、複数の走査線と、
ｍ行目に配置された前記画素に、前記データ線を介して映像信号を供給する第１のデータドライバと、
（ｍ＋１）行目に配置された前記画素に、前記データ線を介して映像信号を供給する第２のデータドライバと、
（ｍ＋２）行目に配置された前記画素に、前記データ線を介して映像信号を供給する第３のデータドライバと、
（ｍ＋３）行目に配置された前記画素に、前記データ線を介して映像信号を供給する第４のデータドライバと、
ｍ行目に配置された前記走査線を制御する第１の走査ドライバと、
（ｍ＋１）行目に配置された前記走査線を制御する第２の走査ドライバと、
（ｍ＋２）行目に配置された前記走査線を制御する第３の走査ドライバと、
（ｍ＋３）行目に配置された前記走査線を制御する第４の走査ドライバとを有し、
１列毎に、前記複数のデータ線のうち、４つのデータ線が設けられていることを特徴とする表示装置。
【請求項５】
複数の画素と、複数のデータ線と、複数の走査線と、
１行目から０．２５ｍ行目までに配置された前記画素に、前記データ線を介して映像信号を供給する第１のデータドライバと、
（０．２５ｍ＋１）行目から０．５ｍ行目までに配置された前記画素に、前記データ線を介して映像信号を供給する第２のデータドライバと、
（０．５ｍ＋１）行目から０．７５ｍ行目までに配置された前記画素に、前記データ線を介して映像信号を供給する第３のデータドライバと、
（０．７５ｍ＋１）行目からｍ行目までに配置された前記画素に、前記データ線を介して映像信号を供給する第４のデータドライバと、
１行目から０．２５ｍ行目までに配置された前記走査線を制御する第１の走査ドライバと、
（０．２５ｍ＋１）行目から０．５ｍ行目までに配置された前記走査線を制御する第２の走査ドライバと、
（０．５ｍ＋１）行目から０．７５ｍ行目までに配置された前記走査線を制御する第３の走査ドライバと、
（０．７５ｍ＋１）行目からｍ行目までに配置された前記走査線を制御する第４の走査ドライバとを有し、
１列毎に、前記複数のデータ線のうち、２つのデータ線が設けられていることを特徴とする表示装置。
【請求項６】
請求項１又は請求項２において、
前記ｘ個のデータドライバの各々は、複数のシフトレジスタと複数のサンプリング回路を有することを特徴とする表示装置。
【請求項７】
請求項１又は請求項２において、
前記ｘ個のデータドライバの各々は、複数のシフトレジスタ、複数の第１のラッチ、複数の第２のラッチ及び複数のサンプリング回路を有することを特徴とする表示装置。
【請求項８】
請求項３乃至請求項５のいずれか１項において、
前記第１のデータドライバ、前記第２のデータドライバ、前記第３のデータドライバ及び前記第４のデータドライバの各々は、複数のシフトレジスタ、複数の第１のラッチ、複数の第２のラッチ及び複数のサンプリング回路を有することを特徴とする表示装置。
【請求項９】
請求項３乃至請求項５のいずれか１項において、
前記第１のデータドライバ、前記第２のデータドライバ、前記第３のデータドライバ及び前記第４のデータドライバの各々は、複数のシフトレジスタ、複数の第１のラッチ、複数の第２のラッチ及び複数のサンプリング回路を有することを特徴とする表示装置。
【請求項１０】
請求項６乃至請求項９のいずれか１項において、
前記複数のシフトレジスタの各々は、独立に動作することを特徴とする表示装置。
【請求項１１】
請求項１において、
前記ｙ個の走査ドライバの各々は、シフトレジスタとバッファを有することを特徴とする表示装置。
【請求項１２】
請求項２において、
前記ｘ個の走査ドライバの各々は、シフトレジスタとバッファを有することを特徴とする表示装置。
【請求項１３】
請求項３において、
前記第１の走査ドライバと前記第２の走査ドライバの各々は、シフトレジスタとバッファを有することを特徴とする表示装置。
【請求項１４】
請求項４又は請求項５において、
前記第１の走査ドライバ、前記第２の走査ドライバ、前記第３の走査ドライバ及び前記第４の走査ドライバの各々は、シフトレジスタとバッファを有することを特徴とする表示装置。
【請求項１５】
請求項１において、
前記複数の画素、前記複数のデータ線、前記複数の走査線、前記ｘ個のデータドライバ及び前記ｙ個の走査ドライバは、同じ絶縁体上に形成されることを特徴とする表示装置。
【請求項１６】
請求項２において、
前記複数の画素、前記複数のデータ線、前記複数の走査線、前記ｘ個のデータドライバ及び前記ｘ個の走査ドライバは、同じ絶縁体上に形成されることを特徴とする表示装置。
【請求項１７】
請求項３において、
前記複数の画素、前記複数のデータ線、前記複数の走査線、前記第１のデータドライバ、前記第２のデータドライバ、前記第３のデータドライバ、前記第４のデータドライバ、前記第１の走査ドライバ及び前記第２の走査ドライバは、同じ絶縁体上に形成されることを特徴とする表示装置。
【請求項１８】
請求項４又は請求項５において、
前記複数の画素、前記複数のデータ線、前記複数の走査線、前記第１のデータドライバ、前記第２のデータドライバ、前記第３のデータドライバ、前記第４のデータドライバ、前記第１の走査ドライバ、前記第２の走査ドライバ、前記第３の走査ドライバ及び前記第４の走査ドライバは、同じ絶縁体上に形成されることを特徴とする表示装置。
【請求項１９】
請求項１乃至請求項１８のいずれか１項において、
前記複数の画素の各々は、スイッチング用素子を有することを特徴とする表示装置。
【請求項２０】
請求項１乃至請求項１９のいずれか１項において、
前記複数の画素の各々は、発光素子を有することを特徴とする表示装置。
【請求項２１】
請求項１乃至請求項１８のいずれか１項において、
前記複数の画素の各々は、トランジスタを有し、
前記トランジスタのゲートは、前記走査線に接続され、
前記トランジスタのソース又はドレインの一方は、前記データ線に接続されていることを特徴とする表示装置。
【請求項２２】
請求項１乃至請求項１８のいずれか１項において、
前記複数の画素の各々は、トランジスタを有し、
前記トランジスタのゲートは、前記走査線に接続され、
前記トランジスタのソース又はドレインの一方は、前記データ線に接続され、
前記複数の画素から選択された２つの画素が含む前記トランジスタのゲートは、同じ走査線に接続されていることを特徴とする表示装置。
【請求項２３】
請求項１乃至請求項１８のいずれか１項において、
前記複数の画素の各々は、前記画素に対するビデオ信号の入力を制御する第１のトランジスタ、前記発光素子の電流値を制御する第２のトランジスタ及び前記ビデオ信号を保持する容量素子を有することを特徴とする表示装置。
【請求項２４】
請求項１乃至請求項１８のいずれか１項において、
前記複数の画素の各々は、前記発光素子、第１のトランジスタ及び第２のトランジスタを有し、
前記第１のトランジスタのゲートは走査線に接続され、ソースとドレインの一方は信号線に接続され、ソースとドレインの他方は前記第２のトランジスタのゲートに接続され、
前記第２のトランジスタのソースとドレインの一方は前記発光素子の一方の電極に接続され、ソースとドレインの他方は第１の電源線に接続され、
前記発光素子の他方の電極は第２の電源線に接続されていることを特徴とする表示装置。
【請求項２５】
請求項１乃至請求項１８のいずれか１項において、
前記複数の画素の各々は、前記発光素子、第１のトランジスタ、第２のトランジスタ及び前記第２のトランジスタのゲートとソースの間の電圧を保持する容量素子を有し、
前記第１のトランジスタのゲートは走査線に接続され、ソースとドレインの一方は信号線に接続され、ソースとドレインの他方は前記第２のトランジスタのゲートに接続され、
前記第２のトランジスタのソースとドレインの一方は前記発光素子の一方の電極に接続され、ソースとドレインの他方は第１の電源線に接続され、
前記発光素子の他方の電極は第２の電源線に接続されていることを特徴とする表示装置。
【請求項２６】
請求項１乃至請求項１８のいずれか１項において、
前記複数の画素の各々は、前記画素に対するビデオ信号の入力を制御する第１のトランジスタ、前記発光素子の電流値を制御する第２のトランジスタ、前記ビデオ信号を保持する容量素子及び前記容量素子に保持された電荷を制御する第３のトランジスタを有することを特徴とする表示装置。
【請求項２７】
請求項１乃至請求項１８のいずれか１項において、
前記複数の画素の各々は、前記発光素子、第１のトランジスタ、第２のトランジスタ及び第３のトランジスタを有し、
前記第１のトランジスタのゲートは第１の走査線に接続され、ソースとドレインの一方は信号線に接続され、ソースとドレインの他方は前記第２のトランジスタのゲートと前記第３のトランジスタのソースとドレインの一方に接続され、
前記第２のトランジスタのソースとドレインの一方は前記発光素子の一方の電極に接続され、ソースとドレインの他方は第１の電源線に接続され、
前記発光素子の他方の電極は第２の電源線に接続され、
前記第３のトランジスタのゲートは第２の走査線に接続され、前記第３のトランジスタのソースとドレインの他方は前記第１の電源線に接続されていることを特徴とする表示装置。
【請求項２８】
請求項１乃至請求項１８のいずれか１項において、
前記複数の画素の各々は、前記発光素子、第１のトランジスタ、第２のトランジスタ、第３のトランジスタ及び前記第２のトランジスタのゲートとソースの間の電圧を保持する容量素子を有し、
前記第１のトランジスタのゲートは第１の走査線に接続され、ソースとドレインの一方は信号線に接続され、ソースとドレインの他方は前記第２のトランジスタのゲートと前記第３のトランジスタのソースとドレインの一方に接続され、
前記第２のトランジスタのソースとドレインの一方は前記発光素子の一方の電極に接続され、ソースとドレインの他方は第１の電源線に接続され、
前記発光素子の他方の電極は第２の電源線に接続され、
前記第３のトランジスタのゲートは第２の走査線に接続され、前記第３のトランジスタのソースとドレインの他方は前記第１の電源線に接続されていることを特徴とする表示装置。
【請求項２９】
請求項２４、請求項２５、請求項２７又は請求項２８のいずれか１項において、
前記複数の画素から選択された２つの画素は、前記第１の電源線を共有することを特徴とする表示装置。
【請求項３０】
請求項１乃至請求項２９のいずれか１項において、
前記発光素子は、有機発光ダイオードであることを特徴とする表示装置。
【請求項３１】
請求項１乃至請求項３０のいずれか１項に記載の前記表示装置を用いた電子機器。
【手続補正３】
【補正対象書類名】明細書
【補正対象項目名】００８２
【補正方法】変更
【補正の内容】
【００８２】
図１１（Ｂ）に、プリント基板８０６の構成をブロック図で示す。インターフェース８０８に供給された各種信号と電源電圧は、コントローラ８０１と、電源回路８０２に供給される。